(57)【要約】【課題】軽量で、容易に厚さの薄い張コンクリートを打設して壁面を構築することができる、壁面構築用型枠を提供する。【解決手段】矩形の型枠パネルと、前記型枠パネル背面に突出して設ける支持部材と、からなり、前記支持部材の上部および下部には、積み上げた際に互いに連結可能な連結部を有し、前記上部の連結部は、前記型枠パネルの上端と略同一の高さに位置することを特徴とする、壁面構築用型枠。【選択図】図１
2015108226.tif 000002
【特許請求の範囲】
【請求項１】
矩形の型枠パネルと、
前記型枠パネル背面に突出して設ける支持部材と、からなり、
前記支持部材の上部および下部には、積み上げた際に互いに連結可能な連結部を有し、
前記上部の連結部は、前記型枠パネルの上端と略同一の高さに位置することを特徴とする、
壁面構築用型枠。
【請求項２】
請求項１に記載の壁面構築用型枠において、
前記支持部材には、前記型枠パネルと対向する背面パネルを設けることを特徴とする、
壁面構築用型枠。
【請求項３】
請求項１又は２に記載の壁面構築用型枠を用いた壁面の構築方法であって、
前記壁面構築用型枠を並べて配置し、
配置した前記壁面構築用型枠内に、上面からコンクリートを、前記型枠パネルの上端付近であって前記上部の連結部より下の高さまで打設し、
その上に前記壁面構築用型枠を並べて配置し、
前記コンクリートから露出した下段の前記壁面構築用型枠の前記支持部材と、上段に配置した前記壁面構築用型枠の前記支持部材とを連結し、
前記壁面構築用型枠内に、上面からコンクリートを打設し、
上記の手順を繰り返して構築する、
壁面の構築方法。
【発明の詳細な説明】
【技術分野】
【０００１】
本発明は壁面構築用型枠と壁面の構築方法に関するものである。
【背景技術】
【０００２】
近年、道路、宅地などの斜面や山岳部の斜面の補強としては、コンクリートブロックを積み上げて壁面を構築する方法が採用されている。
この構築方法は、工場で製造したコンクリートブロックを施工現場まで運搬して、ほぼ人力によって積み上げるものである。
また、斜面に沿って型枠を組み立てて、厚さの薄い張コンクリートを打設して壁面を構築する方法も行われている。
【発明の概要】
【発明が解決しようとする課題】
【０００３】
前記した従来の壁面を構築する方法は次のような問題点がある。
＜１＞コンクリートブロックは重量があるため、人力で積み上げることは重労働であり、工期が長期にわたってしまう。
＜２＞急勾配の斜面にコンクリートブロックを積み上げる際、正確に積み上げて行くには熟練工が必要となる。またコンクリートブロックは重量が３０kg程度で多くの作業員を必要として、長期の工期が必要である。
＜３＞型枠を組み立てて張コンクリートを打設する際には、型枠の組み立てのための熟練工と、型枠の転倒を防止するために仮設材が必要になる。
【０００４】
本発明は、軽量で、容易に厚さの薄い張コンクリートを打設して壁面を構築することができる、壁面構築用型枠およびそれを用いた壁面の構築方法を提供することを目的とする。
【課題を解決するための手段】
【０００５】
上記のような課題を解決するために、本願の第一発明は、矩形の型枠パネルと、前記型枠パネル背面に突出して設ける支持部材と、からなり、前記支持部材の上部および下部には、積み上げた際に互いに連結可能な連結部を有し、前記上部の連結部は、前記型枠パネルの上端と略同一の高さに位置することを特徴とする、壁面構築用型枠を提供する。
本願の第二発明は、第一発明の壁面構築用型枠において、前記支持部材には、前記型枠パネルと対向する背面パネルを設けることを特徴とする、壁面構築用型枠を提供する。
本願の第三発明は、第一または第二発明の壁面構築用型枠を用いた壁面の構築方法であって、前記壁面構築用型枠を平面的に並べて配置し、配置した前記壁面構築用型枠内に、上面からコンクリートを、前記型枠パネルの上端付近であって前記上部の連結部より下の高さまで打設し、その上に前記壁面構築用型枠を並べて配置し、前記コンクリートから露出した下段の前記壁面構築用型枠の前記支持部材と、上段に配置した前記壁面構築用型枠の前記支持部材とを連結し、前記壁面構築用型枠内に、上面からコンクリートを打設し、上記の手順を繰り返して構築する、壁面の構築方法を提供する。
【発明の効果】
【０００６】
本発明の壁面構築用パネルと壁面の構築方法は以上説明したようになるから次のような効果の少なくとも一つを得る事ができる。
＜１＞壁面構築用型枠は軽量であるため、容易に人力で積み上げることができ、短工期で行うことができる。
＜２＞背面の支持部材を使用することで、従来は型枠を固定していた溶接やセパ材が不要である。
＜３＞熟練工でなくても容易に積み上げ、施工を行うことができる。
＜４＞仮設材が不要であり、迅速な施工ができる。
【図面の簡単な説明】
【０００７】
【図１】本発明の壁面構築用型枠の斜視図。
【図２】型枠パネルの板体の斜視図。
【図３】壁面構築用型枠の側面からの説明図。
【図４】壁面構築方法の説明図。
【図５】その他実施例にかかる壁面構築方法の説明図。
【図６】その他実施例にかかる壁面構築用型枠の斜視図。
【図７】その他実施例にかかる壁面構築方法の説明図。
【発明を実施するための形態】
【０００８】
以下図面を参照にしながら本発明の壁面構築用型枠およびそれを用いた壁面の構築方法の好適な実施の形態を詳細に説明する。
【実施例】
【０００９】
［１］壁面構築用型枠の構成。
本発明の壁面構築用型枠１は、型枠パネル２と、型枠パネル２の背面に固定する支持部材３と、により構成する。（図１）
【００１０】
＜１＞型枠パネル。
型枠パネル２は、コンクリート打設時には型枠となり、コンクリート固化後にその表面に残存する部材であり、多数の孔を有する板体２１と、板体の周囲に設けた枠体２２と、により構成する。
型枠パネル２は、構築する壁面構造の斜面に合わせて傾斜させておく。
【００１１】
＜１．１＞板体。
板体２１は、鋼製の矩形の平板に、打設したコンクリートＣを保持可能な開口部２１１を複数も受け、多孔性の板体に形成したものである。（図２）
開口部２１１は、傾斜部２１１ａおよび連結部２１１ｂで包囲されている。
傾斜部２１１ａは、上方に向かって次第に外側に傾斜して形成し、連結部２１１ｂは、これらの隣接する傾斜部２１１ａ群を前後にずらしてそれぞれ連結するものである。
そして、このような傾斜部２１１ａおよび連結部２１１ｂにより包囲される開口部２１１は、受け口状かつ多段的に開口し、型枠パネル２の背面に打設したコンクリートＣが流出しないように構成する。開口部２１１は、鋼板に同一方向の多数のスリットを入れて伸ばした後、傾斜部２１１ａをプレスして起こして作製することができる。
また、板体２１の表面はプレス加工等によりなだらかな凹凸を設け、自然石様な形態としてもよい。
【００１２】
＜１．２＞枠体。
枠体２２は、構造物構築時に型枠パネル２に作用するコンクリートの重量等によって板体２１が変形しないように、板体２１の周囲に設けるものであり、鋼材や木材等を組み合わせて構成する。
【００１３】
＜２＞支持部材。
支持部材３は、アングル材や平板等の鋼材をトラス形状に組み合わせてピン接合したものである。
複数の支持部材３を所定の間隔で型枠パネル２から垂直に突出するように背面に固定することにより、壁面構築用型枠１は自立する。
支持部材３は、型枠パネル２に略平行に配置する後支持部材３１、型枠パネルと後方支持部材３１間に渡設する上支持部材３２、下支持部材３３、および上支持部材３２と下支持部材３３間に斜めに配置する傾斜支持部材３４からなる。
後支持部材３１は型枠パネル２と同じ高さとする。
【００１４】
＜２．１＞連結部。
壁面構築用型枠１は積み上げて用いるため、上下の壁面構築用型枠１を連結するための連結部３５を設ける。
壁面構築用型枠１を積み上げた際には下側の後支持部材３１の上端と、上側の後支持部材３１の下端が接する。その接する位置に、連結部３５として、上連結部３５１、下連結部３５２を形成する。（図３）
上連結部３５１と下連結部３５２は、例えば下連結部３５２は穴状とし、上連結部３５１を雌ネジ状にすることで、ボルト４を下連結部３５２側から挿通して上連結部３５１に螺着することで、上下の壁面構築用型枠１を連結することができる。
後支持部材３１は型枠パネル２と同じ高さであり、上下の連結部３５１、３５２はそれぞれ型枠パネル２の上端、下端と同じ高さとなる。
【００１５】
［２］壁面構築方法。
つぎに、壁面構築用型枠１を用いた壁面の構築方法について説明する。
【００１６】
＜１＞下段型枠の設置。（図４ａ）
まず、壁面の構築予定箇所に基礎コンクリートＢを打設する。
そして、基礎コンクリートＢの上に、壁面構築用型枠１を一段に並べる。
壁面構築用型枠１はあらかじめ工場において組み立てておいてもよいし、型枠パネル２と支持部材３とを現場にて連結して組み立ててもよい。壁面構築用型枠１は金網や鋼材を組み合わせたものであるため軽量であり、支持部材３もピン接合であるため折りたたみが可能である。よって運搬のコストが低く、現場での組み立てが容易である。
また、壁面構築用型枠１が軽量であるため、コンクリートブロックを積み上げる方法と異なり、人力だけで容易に運搬、組み立てをすることができる。
そして、支持部材３を基礎コンクリートＢに固定する。支持部材３は、地山側の端部付近を固定するのが好ましく、下連結部３５２にアンカーを挿通して基礎コンクリートＢに固定してもよい。
【００１７】
＜２＞コンクリートの打設。（図４ｂ）
壁面構築用型枠１と地山との間に、壁面構築用型枠１の上面からコンクリートＣを打設する。
壁面構築用型枠１は基礎コンクリートＢに固定されており、また、支持部材３がトラス状であるため壁面構築用型枠１が転倒することがない。このため仮設材が不要であり、迅速に作業を行うことができる。また、従来、型枠の固定に必要であった溶接やセパ材が不要である。
コンクリートＣはある程度の高さまで打設するが、上連結部３５１は型枠パネル２の上端と同じ高さのため、コンクリートＣを型枠パネル２の高さ付近まで打設しても、上連結部３５１はコンクリートＣに埋まらずに露出したままとなる。
また、仮にコンクリートＣに埋もれたとしても、コンクリートＣの表面近くであり、上連結部３５１周囲のコンクリートＣを取り除くことで、容易に再度露出させることができる。
【００１８】
＜３＞上段の型枠の設置。
下段の壁面構築用型枠１ａ内のコンクリートＣを打設した後、その上に壁面構築用型枠１ｂを並べて設置する（図４ｃ）。壁面構築用型枠１ｂは軽量であるため、構築する壁面が急斜面であっても、容易に人力だけで設置することができる。
上段の壁面構築用型枠１ｂの後支持部材３１の下連結部３５２を、コンクリートＣから露出した下段の壁面構築用型枠１ａの上連結部３５１に固定する。露出した上連結部３５１に固定するため、作業は容易である。
壁面構築用型枠１の奥行きを５０ｃｍ程度とすることで、背面側に回り込むことなく、壁面構築用型枠１の前面側から容易に固定することができる。
そして、壁面構築用型枠１ｂと地山との間にコンクリートＣを打設する。壁面構築用型枠１ｂはコンクリートＣに埋設済みの下段の壁面構築用型枠１ａに連結されており、また、支持部材３がトラス状であるため壁面構築用型枠１ｂが転倒することがない。このため仮設材が不要であり、迅速に作業を行うことができる。
その後は上記作業を繰り返し、コンクリートＣが硬化することで、壁面を構築していく（図４ｄ）。それぞれ容易な作業を繰り返すものであるため、短工期で容易に壁面を構築することができる。また、熟練工でなくても、急斜面の張コンクリートを施工することができる。
【００１９】
＜４＞補強材の配置。
斜面の地震に対する安定度向上や、すべり抑止の目的で壁面のコンクリート補強材として、壁面に鉄筋や、Ｈ型鋼などの補強材を埋設してもよい。
この場合は予め必要な鋼材を斜面から間隔を設けて配置・組み立てした後、壁面構築用型枠１を設置し前記同様の手順で壁面を構築する。
【００２０】
＜５＞アンカー・ロックボルトの設置。
斜面の崩壊を抑止する場合、斜面に複数本のアンカーやロックボルトを配置して、本件壁面構造物をアンカーやロックボルトの受圧版とする事も出来る。
【００２１】
［３］その他の構成。
＜１＞排水材の設置。
切土斜面、盛土斜面にかかわらず、斜面にコンクリート構造物を設置する場合、斜面からの湧水を排除する必要がある。
その方法の一つとしては、斜面地山にヤシガラや繊維類で構成したマット状の排水材５を全面に敷設し、地山からの湧水を壁面のコンクリートＣおよび壁面構築用型枠１を貫通した排水孔６から排水する。排水材５は縦方向に複数敷設してもよい。（図５）
【００２２】
また、壁面構築用型枠１の支持部材３に、背面パネル７を設けてもよい。（図６）
背面パネル７は金属製の平板や波形板によって型枠パネル２と同幅に構成し、後支持部材３１に取り付ける。
そして、背面パネル７と斜面との空間に砕石８を充填する。コンクリートは砕石８を充填した後に打設する。（図７）
砕石８は排水材としての機能を有し、地山からの湧水量が多い場合に採用される。
【符号の説明】
【００２３】
１：壁面構築用型枠
２：型枠パネル
２１：板体
２１１：開口部
２２：枠体
３：支持部材
３１：後支持部材
３２：上支持部材
３３：下支持部材
３４：傾斜支持部材
３５：連結部
３５１：上連結部
３５２：下連結部
４：ボルト
５：排水材
６：排水孔
７：背面パネル
８：砕石
【図１】
2015108226.tif 000003
【図２】
2015108226.tif 000004
【図３】
2015108226.tif 000005
【図４】
2015108226.tif 000006
【図５】
2015108226.tif 000007
【図６】
2015108226.tif 000008
【図７】
2015108226.tif 000009